(57)【要約】【課題】簡便な構成で駆動信号の強度を較正できる光走査装置を提供する。【解決手段】光走査装置３は、光源４からの光を反射する走査ミラー７と、駆動信号に基づいて走査ミラー７を回転的な単振動をするように駆動可能なミラー駆動部８と、走査ミラー７からの走査光の最大走査角の範囲内における両側に設定された第１、第２検出位置Ｐ１、Ｐ２に入射する走査光を検出する走査光検出部１６と、走査ミラー７からの走査光が第１、この検出が行われた時点ｔ１〜ｔ６、並びに駆動信号の周波数ω及び強度に基づいて駆動信号の強度を較正する較正部２１とを備える。【選択図】図１
2019109351.tif 000002
【特許請求の範囲】
【請求項１】
光源と、
前記光源からの光を反射して走査する走査ミラーと、
付与される駆動信号に基づいて該走査ミラーを回転的な単振動をするように駆動可能なミラー駆動部と、
前記走査ミラーからの走査光の最大走査角の範囲内における両側に設定された第１検出位置及び第２検出位置に入射する前記走査光を検出する走査光検出部と、
前記駆動信号による前記走査ミラーの単振動によって該走査ミラーからの前記走査光が前記第１検出位置及び前記第２検出位置に入射したことを前記走査光検出部が検出した時点、並びに該駆動信号の周波数及び強度に基づいて、前記ミラー駆動部に付与する前記駆動信号の強度を較正する較正部とを備えることを特徴とする光走査装置。
【請求項２】
前記較正部は、前記走査光検出部が検出した時点、及び該検出時点での前記駆動信号の周波数に基づいて前記最大走査角を取得する最大走査角取得部と、
前記最大走査角取得部により取得された最大走査角と前記検出時点での前記駆動信号の強度とに基づいて前記ミラー駆動部に付与する前記駆動信号の強度の較正値を求める較正値取得部とを備えることを特徴とする請求項１に記載の光走査装置。
【請求項３】
前記最大走査角取得部は、
前記走査光が前記第１検出位置に一度入射した時点ｔ４から再度入射した時点ｔ５までの時間Δｔａ０、及び該再度入射した時点ｔ５からさらに再度入射した時点ｔ６までの時間Δｔａ１と、
前記走査光が前記第２検出位置に一度入射した時点ｔ１から再度入射した時点ｔ２までの時間Δｔｂ０、及び該再度入射した時点ｔ２からさらに再度入射した時点ｔ３までの時間Δｔｂ１と、
前記第１検出位置に入射した時点の前記走査光と前記第２検出位置に入射した時点の前記走査光とがなす角度（θａ＋θｂ）と、
前記駆動信号の周波数ωとに基づいて前記最大走査角（２Ａ）を取得するものであることを特徴とする請求項２に記載の光走査装置。
【請求項４】
前記走査光検出部は、
光センサと、
前記第１検出位置及び第２検出位置に入射する前記走査光を前記光センサに導く導光部とを備えることを特徴とする請求項１〜３のいずれか１項に記載の光走査装置。
【請求項５】
前記導光部は、前記第１検出位置及び前記第２検出位置にそれぞれ配置され、前記走査ミラーからの前記走査光を前記光センサに向けて反射する反射面を備えることを特徴とする請求項４に記載の光走査装置。
【請求項６】
前記導光部は、
前記第１検出位置及び前記第２検出位置にそれぞれ設けられたスリットと、
各スリットに入射する前記走査ミラーからの前記走査光を前記光センサに導く光学素子とで構成されることを特徴とする請求項４に記載の光走査装置。
【請求項７】
前記光走査装置は、前記走査ミラーからの前記走査光を反射する走査光反射ミラーを備え、
前記スリットは、前記走査光反射ミラーに設けられることを特徴とする請求項６に記載の光走査装置。
【請求項８】
前記走査光反射ミラーは、曲面で構成された曲面ミラー又は前記走査光の歪を補正する走査光反射ミラーであることを特徴とする請求項７に記載の光走査装置。
【発明の詳細な説明】
【技術分野】
【０００１】
本発明は、駆動信号の強度を較正する機能を有する光走査装置に関する。
【背景技術】
【０００２】
従来、光源からのレーザ光を反射する走査ミラーと、この走査ミラーを往復回転するように駆動する駆動機構とを備え、レーザ光により走査を行う光走査装置が知られている（特許文献１参照）。
【０００３】
この光走査装置は、走査ミラーの回動に伴って回動する背面ミラーと、サーボ光を発光するサーボ用光源とを備える。この光走査装置では、サーボ光を背面ミラーに照射し、その反射光をＰＳＤ（position sensitive detector）等の光スポット位置センサで検出することによって、レーザ光による走査範囲をモニタしている。
【先行技術文献】
【特許文献】
【０００４】
【特許文献１】特開２００８−２９８６８６号公報
【発明の概要】
【発明が解決しようとする課題】
【０００５】
しかしながら、上記特許文献１の光走査装置によれば、レーザ光による走査範囲をモニタするためには、走査用光源とは別にサーボ用光源や背面ミラーを要するので、装置構成が複雑化する。
【０００６】
また、走査ミラーをＭＥＭＳ（Micro Electro Mechanical Systems）デバイスとしてのデジタル・マイクロミラー・デバイスを用いて光走査装置を構成する場合には、走査ミラーが、背面ミラーを有する両面ミラーとして構成される。このため、走査ミラーの質量が増大し、走査ミラーを駆動する電力の増大や走査性能の低下を招くことになる。
【０００７】
さらに、サーボ用光源などを有しない通常の光走査装置に比べて、複雑化した装置構成を有するので、防塵、防湿対策のためのパッケージ構造としても、かかる装置構成に適合した特殊なものを用いる必要がある。
【０００８】
したがって、特許文献１の光走査装置における走査範囲のモニタ機能を利用して光走査装置における駆動信号の強度を適切な走査角が得られるように較正しようとする場合には、装置構成の複雑化や、性能低下、消費電力の増大を回避することができない。
【０００９】
本発明の目的は、かかる従来技術の課題に鑑み、簡便な構成で支障なく駆動信号の強度を較正できる光走査装置を提供することにある。
【課題を解決するための手段】
【００１０】
第１発明に係る光走査装置は、
光源と、
前記光源からの光を反射して走査する走査ミラーと、
付与される駆動信号に基づいて該走査ミラーを回転的な単振動をするように駆動可能なミラー駆動部と、
前記走査ミラーからの走査光の最大走査角の範囲内における両側に設定された第１検出位置及び第２検出位置に入射する走査光を検出する走査光検出部と、
前記駆動信号による前記走査ミラーの単振動によって該走査ミラーからの前記走査光が前記第１検出位置及び前記第２検出位置に入射したことを前記走査光検出部が検出した時点、並びに該駆動信号の周波数及び強度に基づいて、前記ミラー駆動部に付与する前記駆動信号の強度を較正する較正部とを備えることを特徴とする。
【００１１】
このような光走査装置において、走査ミラーを長期間駆動すると、駆動時間の経過に応じて最大走査角が減少する。このため、最大走査角を一定に維持するには、駆動時間の経過に応じて駆動信号の強度を漸次増大するように較正することが求められる。
【００１２】
第１発明では、この駆動信号の較正が、走査ミラーの単振動により第１検出位置及び第２検出位置に走査光が入射する時点、駆動信号の周波数及び強度、並びに最大走査角の間に一定の関係があることに着目して行われる。すなわち、較正部により、該入射時点、駆動信号の周波数及び強度に基づき、予定された一定の最大走査角が維持されるように駆動信号の強度が較正される。
【００１３】
そして、第１発明によれば、主なハード構成として、従来のようにサーボ用光源や背面ミラーを要することは無く、第１、第２検出位置に入射する走査光を検出する走査光検出部を設けるだけで駆動信号の強度を適切に較正することができる。したがって、光走査装置の複雑化や性能低下、消費電力の増大を回避しつつ、簡便な構成で駆動信号の強度を適切に較正すことができる。
【００１４】
第２発明に係る光走査装置は、第１発明において、
前記較正部は、前記走査光検出部が検出した時点、及び該検出時点での前記駆動信号の周波数に基づいて前記最大走査角を取得する最大走査角取得部と、
前記最大走査角取得部により取得された最大走査角と前記検出時点での前記駆動信号の強度とに基づいて前記ミラー駆動部に付与する前記駆動信号の強度の較正値を求める較正値取得部とを備えることを特徴とする。
【００１５】
第２発明によれば、ある最大走査角を生じさせている駆動信号の強度についての較正値は、該最大走査角及び強度と一定の関係があるので、較正値取得部は、この関係を利用して、最大走査角取得部により取得された最大走査角及び該取得時の駆動信号の強度から強度の較正値を求めることができる。
【００１６】
第３発明に係る光走査装置は、第２発明において、
前記最大走査角取得部は、
前記走査光が前記第１検出位置に一度入射した時点ｔ４から再度入射した時点ｔ５までの時間Δｔａ０、及び該再度入射した時点ｔ５からさらに再度入射した時点ｔ６までの時間Δｔａ１と、
前記走査光が前記第２検出位置に一度入射した時点ｔ１から再度入射した時点ｔ２までの時間Δｔｂ０、及び該再度入射した時点ｔ２からさらに再度入射した時点ｔ３までの時間Δｔｂ１と、
前記第１検出位置に入射した時点の前記走査光と前記第２検出位置に入射した時点の前記走査光とがなす角度（θａ＋θｂ）と、
前記駆動信号の周波数ωとに基づいて前記最大走査角（２Ａ）を取得するものであることを特徴とする。
【００１７】
第３発明によれば、最大走査角取得部は、上記の時間Δｔａ０、Δｔａ１、Δｔｂ０、Δｔｂ１、角度（θｐａ＋θＰｂ）及び周波数ωに基づいて、最大走査角（２Ａ）を容易に算出して求めることができる。
【００１８】
第４発明に係る光走査装置は、第１〜第３のいずれかの発明において、
前記走査光検出部は、
光センサと、
前記第１検出位置及び第２検出位置に入射する前記走査光を前記光センサに導く導光部とを備えることを特徴とする。
【００１９】
第４発明によれば、１つの光センサを用いるだけで、第１検出位置及び第２検出位置に入射する走査光を検出することができる。
【００２０】
第５発明に係る光走査装置は、第４発明において、前記導光部は、前記第１検出位置及び前記第２検出位置にそれぞれ配置され、前記走査ミラーからの前記走査光を前記光センサに向けて反射する反射面を備えることを特徴とする。第５発明によれば、導光部を簡便に構成することができる。
【００２１】
第６発明に係る光走査装置は、第４発明において、
前記導光部は、
前記第１検出位置及び前記第２検出位置にそれぞれ設けられたスリットと、
各スリットに入射する前記走査ミラーからの前記走査光を前記光センサに導く光学素子とで構成されることを特徴とする。
【００２２】
第６発明によれば、各スリットの走査光の入射側と反対側のスペースを利用して導光部を設けることができる。
【００２３】
第７発明に係る光走査装置は、第６発明において、
前記光走査装置は、前記走査ミラーからの前記走査光を反射する走査光反射ミラーを備え、
前記スリットは、前記走査光反射ミラーに設けられることを特徴とする。
【００２４】
第７発明によれば、走査光反射ミラーの後ろ側のスペースを活用して、第１検出位置及び第２検出位置に入射する走査光を検出することができる。
【００２５】
第８発明に係る光走査装置は、第７発明において、前記走査光反射ミラーは、曲面で構成された曲面ミラー又は前記走査光の歪を補正する走査光反射ミラーであることを特徴とする
【図面の簡単な説明】
【００２６】
【図１】本発明の一実施形態に係る光走査装置を備えたプロジェクタの要部を示す側面図である。
【図２】図１のプロジェクタの光走査装置の斜視図である。
【図３】図２の光走査装置における偏向装置の一例を示す斜視図である。
【図４】図２の光走査装置における較正部の構成を示すブロック図である。
【図５】図４の較正部の最大走査角取得部における最大走査角の算出方法を説明するための説明図である。
【図６】図２の光走査装置における走査光検出部の光センサの出力と走査位相との関係を示す波形図である。
【図７】本発明の別の実施形態に係る光走査装置の要部を示す側面図である。
【発明を実施するための形態】
【００２７】
以下、図面を用いて本発明の実施形態を説明する。図１は、一実施形態に係る光走査装置を備えるプロジェクタの要部を示す。
【００２８】
図１に示すように、このプロジェクタ１は、スクリーン２と、該スクリーン２に対して走査光を照射する光走査装置３とを備える。光走査装置３は、光源４と、光源４からの光を反射して偏向させる偏向装置５と、偏向装置５からの走査光をスクリーン２に向けて反射する走査光反射ミラー６とを備える。走査光反射ミラー６としては、平坦面のミラーでよいが、曲面で構成された曲面ミラーや、走査光の歪を補正する補正ミラーであってもよい。
【００２９】
なお、以下の説明では、方向を示すために、図１〜図３で示されるような右手系のＸＹＺ軸直交座標系が用いられる。Ｙ軸は、後述する走査ミラー７の第１回転軸線１２に平行である。ＸＹ平面は、走査光反射ミラー６のミラー面とほぼ平行である。
【００３０】
図２は、光走査装置３の要部を示す斜視図である。図２に示すように、走査ミラー７から走査光反射ミラー６に向かう走査光は、走査ミラー７によってＸ方向及びＹ方向に走査される。これにより、走査光反射ミラー６で反射された走査光によって、スクリーン２の水平走査及び垂直走査が行われる。走査光には、偏向装置５による走査光の走査速度に適合させて光源４の出力をオン・オフすることにより、画像情報を含めることができる。
【００３１】
光源４としては、例えばレーザ光のようなコヒーレント性を有する光を出力するものが好ましく用いられる。光源４は、出力する光のオン・オフのタイミングと走査速度との兼ね合いでスクリーン２に所望のパターンが投影されるように、オン・オフのタイミングが制御される。
【００３２】
偏向装置５は、光源からの光を反射する走査ミラー７と、走査ミラー７を駆動するミラー駆動部８とを備える。ミラー駆動部８は、付与される駆動信号に基づいて該走査ミラー７を正逆方向に回動させることによって回転的な単振動をするように駆動することが可能である。
【００３３】
図３は、偏向装置５の一例を示す。この偏向装置５は、図３に示すように、走査ミラー７は、搖動反射面９を有し、図３におけるその他の部分としてのミラー駆動部８により駆動される。
【００３４】
すなわち、ミラー駆動部８は、走査ミラー７を支持する第１支持部１０と、一端が走査ミラー７に、他端が第１支持部１０にそれぞれ連結された第１圧電アクチュエータ１１ａ、１１ｂを備える。第１圧電アクチュエータ１１ａ、１１ｂを圧電駆動することにより、第１支持部１０に対して走査ミラー７を、第１回転軸線１２の周りに回転させることができる。
【００３５】
また、ミラー駆動部８は、第１支持部１０を支持する第２支持部１３と、一端が第１支持部１０、他端が第２支持部１３にそれぞれ連結された第２圧電アクチュエータ１４とを備える。第２圧電アクチュエータ１４を圧電駆動することにより、第１支持部１０を第２支持部１３に対して第２回転軸線１５の周りに揺動させることができる。
【００３６】
この偏向装置５は、特開２０１３−７７７９号公報に記載されたものと同様のものであるが、偏向装置５としては、これに限らず、他のＭＥＭＳミラーなどを用いてもよい。
【００３７】
走査ミラー７は、ミラー駆動部８の第１圧電アクチュエータ１１ａ、１１ｂに印加される所定周波数、例えば３０ｋＨｚの水平駆動信号により回転的な単振動を呈して往復回転する。この周波数としては、極力大きな最大走査角で走査できるように共振周波数が選択される。
【００３８】
なお、本明細書中で、最大走査角とは、後述する図５中の角度２Ａで例示されるように、単振動の一周期において走査ミラー７からの走査光が振れる一方の端から他方の端までの角度を意味する。
【００３９】
走査ミラー７は、ミラー駆動部の第２圧電アクチュエータ１４に印加される所定周波数、例えば６０Ｈｚの垂直駆動信号により往復回転する。これにより、スクリーン２は、走査光によって横方向に３０ｋＨｚ、縦方向に６０Ｈｚで走査される。
【００４０】
ただし、一定強度の駆動信号で駆動していると、走査ミラー７による走査光の最大走査角（最大振れ角）は、走査ミラー７の駆動時間の経過とともに減少する。例えば、初期値が±７．５°程度であった最大走査角が、３００時間の駆動後には、６．８°程度に減少する。したがって、スクリーン２上に所望のパターンを正確な寸法で投影するために、最大走査角が減少しないように、駆動信号の強度が適宜較正される。
【００４１】
この較正を、水平駆動信号について行うために、光走査装置３は、第１検出位置Ｐ１及び第２検出位置Ｐ２に入射する走査光を検出する走査光検出部１６と、走査光検出部１６による検出結果に基づいて、ミラー駆動部８に付与する水平駆動信号の強度を較正する較正部２１（図４参照）とを備える。第１検出位置Ｐ１及び第２検出位置Ｐ２は、走査ミラー７からの走査光の最大走査角の範囲内における両側に設定される。
【００４２】
図１では、スクリーン２への投影に使用される走査光の範囲の両側が１点鎖線で示されている。この範囲の外側に、第１検出位置Ｐ１及び第２検出位置Ｐ２が設定される。
【００４３】
走査光検出部１６は、光センサ１７と、第１検出位置Ｐ１及び第２検出位置Ｐ２に入射する２点鎖線で示される走査光を光センサ１７に導く導光部１８とを備える。導光部１８は、第１検出位置Ｐ１及び第２検出位置Ｐ２にそれぞれ配置された反射面を構成するビームスプリッタ１９及び導光ミラー２０を備える。
【００４４】
第１検出位置Ｐ１に配置されたビームスプリッタ１９は、第１検出位置Ｐ１に入射する走査光を接合面Ｂで反射して光センサ１７に導く。第２検出位置Ｐ２に配置された導光ミラー２０は、第２検出位置Ｐ２に入射する走査光を光センサ１７に向けて反射する。反射された走査光は、ビームスプリッタ１９内を直進して通過し、光センサ１７に入射する。
【００４５】
較正部２１は、水平駆動信号による走査ミラー７の単振動によって走査光が第１検出位置Ｐ１及び第２検出位置Ｐ２に入射したことを走査光検出部１６が検出した時点、並びに該水平駆動信号の周波数及び強度に基づいて、ミラー駆動部８に付与する水平駆動信号の強度を較正する。
【００４６】
この較正は、例えば、プロジェクタ１の動作開始時や、動作中における１フレームの描画毎のタイミングが該当する。ただし、ミラー駆動部８の駆動開始時には、最大走査角が例えば２．８％程度瞬間的に大きくなるので、かかる時点を避けて較正を行うのが好ましい。
【００４７】
図４は、較正部２１の構成を示す。図４に示すように、較正部２１は、走査光検出部１６からの情報に基づいて最大走査角を求める最大走査角取得部２２と、求められた最大走査角に基づいて駆動信号の強度の較正値求める較正値取得部２３とを備える。較正部２１は、マイコン等で構成することができる。
【００４８】
最大走査角取得部２２は、走査ミラー７からの走査光が第１検出位置Ｐ１及び第２検出位置Ｐ２を通過したことを走査光検出部１６が検出した時点と、水平駆動信号の周波数とに基づいて最大走査角を求める機能を有する。
【００４９】
較正値取得部２３は、最大走査角取得部２２により求められた最大走査角と、該最大走査角を求めたときの水平駆動信号の強度とに基づいてミラー駆動部８に付与する駆動信号の強度の較正値を求める。この較正値は、水平方向（Ｘ軸方向）の最大走査角を予定された値に維持するために、第１圧電アクチュエータ１１ａ、１１ｂに付与すべき水平信号強度を示すものである。
【００５０】
較正部２１は、ミラー駆動部８に駆動信号を供給する駆動信号供給部２４に対して、水平駆動信号の強度を該較正値に変更するように指示する。
【００５１】
図５は、最大走査角取得部２２における最大走査角の算出方法を説明するために用いられる。なお、図５では、導光部１８を介することなく、第１検出位置Ｐ１及び第２検出位置Ｐ２に光センサ１７ａ及び１７ｂがそれぞれ直接配置され、走査ミラー７からの走査光が直接光センサ１７ａ及び１７ｂに入射する場合について示している。
【００５２】
走査ミラー７に入射する走査光と反射する走査光とがなす角度を偏向角θと定義し、走査ミラー７が中立位置にあるときの走査光の偏向角θを０°とする。そして、この偏向角θで表した光センサ１７ａ及び１７ｂの各位置の方向を、それぞれ角θａ及びθｂとする。
【００５３】
そして、角θａ及びθｂは、図５に示すように、走査光の最大走査角２Ａの１／２（＝Ａ）よりやや小さい。すなわち、第１検出位置Ｐ１及び第２検出位置Ｐ２は、最大走査角２Ａの範囲内における両側に設定されている。
【００５４】
駆動されている走査ミラー７からの走査光の１走査周期Ｔ毎に偏向角が０°となる時点を基準時点Ｓとすると、走査光は、ある基準時点Ｓｎから次の基準時点Ｓｎ＋１までの１走査周期Ｔにおいて、光センサ１７ｂ及び１７ａに対し、それぞれ２回ずつ入射する。
【００５５】
図６は、この様子を示す。図６の横軸は、時間軸である。図６中の上段には、走査光の入射に応じて光センサ１７ｂ及び１７ａが出力するパルス状の検出信号が示されている。下段には、走査位相が示されている。走査位相は、ある基準時点Ｓｎから次の基準時点Ｓｎ＋１までの１走査周期Ｔ毎に０°から３６０°までの変化を繰り返す。
【００５６】
各１走査周期Ｔにおいて、走査光が、光センサ１７ｂ及び１７ａに２回ずつ入射するので、それぞれに対応する２つずつのパルスＰｂ１、Ｐｂ２及びＰａ１，Ｐａ２が発生する。これらのパルスの立上り時点及び水平駆動信号の周波数ωとに基づいて、次のようにして走査光の走査範囲±Ａ（１走査周期Ｔにおける最大の偏向角）を求めることができる。なお、Ａの２倍が最大走査角である。
【００５７】
すなわち、走査ミラー７が、周波数ωの水平駆動信号によって単振動し、基準時点Ｓからの経過時間をｔとすると、走査光の偏向角θは、θ＝Ａｓｉｎωｔで表わされる。
【００５８】
ここで、ある基準時点Ｓｎの経過後、最初にパルスＰｂ１が立ち上がる時点ｔ１から次にパルスＰｂ２が立ち上あがる時点ｔ２までの時間をΔｔｂ０、時点ｔ２の経過後、次の基準時点Ｓｎ＋１を過ぎて最初にパルスＰｂ１が立ち上がる時点ｔ３までの時間をΔｔｂ１とする。同様に、基準時点Ｓｎの経過後、最初にパルスＰａ１が立ち上がる時点（一度入射した時点）ｔ４から次にパルスＰａ２が立ち上がる時点（再度入射した時点）ｔ５までの時間をΔｔａ０、時点ｔ５からさらにパルスＰａ１が立ち上がる時点ｔ６までの時間をΔｔａ１とする。
【００５９】
Δｔｂ０＋Δｔｂ１＝Δｔａ０＋Δｔａ１は１走査周期Ｔに等しいので、
ω＝２π／Ｔ＝２π／（Δｔｂ０＋Δｔｂ１）＝２π／（Δｔａ０＋Δｔａ１）
が成立する。
【００６０】
さらに、Δｔｂ１は、時点ｔ２から、光センサ１７ａの方に向かい、次の基準時点Ｓｎ＋１を過ぎて再びパルスＰｂ１が立上る時点ｔ３までの時間である。したがって、基準時点Ｓｎから光センサ１７ｂの中心、すなわち第２検出位置Ｐ２まで走査する時間、すなわち上述の光センサ１７ｂの位置を示す角θｂを走査光が走査する時間Δｔｂは、
Δｔｂ＝（１／２）＊（Δｔｂ１−Ｔ／２）
＝（１／２）＊（Δｔｂ１−π／ω）
＝（１／４）＊（Δｔｂ１−Δｔｂ０）
となる。なお、Δｔｂ０は、パルスＰｂ１が立ち上がる時点ｔ１から次にパルスＰｂ２が立ち上あがる時点ｔ２までの時間であるが、パルスＰｂ１の立上りからパルスＰｂ１の中心位置までの時間は、パルスＰｂ２の立上りからパルスＰｂ２の中心までの時間に実質的に等しい。したがって、Δｔｂ０は、走査光が第２検出位置Ｐ２に入射してから次に第２検出位置Ｐ２に入射するまでの時間に実質的に等しい。Δｔｂ１についても同様である。
【００６１】
よって、
θｂ／Ａ＝ｓｉｎ｛ω＊（１／４）＊（Δｔｂ１−Δｔｂ０）｝
となり、同様に、
θａ／Ａ＝ｓｉｎ｛ω＊（１／４）＊（Δｔａ１−Δｔａ０）｝
となる。θｂ＋θａは、光センサ１７ａ及び１７ｂの配置による設定値であるから、走査範囲±Ａは、
A=(θb+θa)/[sin{ω*(1/4)*(Δtb1-Δtb0)}+sin{ω*(1/4)*(Δta1-Δta0)}]
となる。
【００６２】
最大走査角取得部２２は、この式を利用して、上記の時間Δｔａ０、Δｔａ１、Δｔｂ０、Δｔｂ１、角度（θａ＋θｂ）及び周波数ωに基づいて、最大走査角（２Ａ）を容易に算出して求めることができる。
【００６３】
本実施形態の構成において、光源４からの走査光は、偏向装置５の走査ミラー７によって反射され、さらに走査光反射ミラー６によって反射され、スクリーン２に入射する。この間、走査ミラー７は、駆動信号供給部２４から、第１圧電アクチュエータ１１ａ及び１１ｂに印加される、例えば３０ｋＨｚ程度の周波数（水平走査周波数）の水平駆動信号に基づいて、第１回転軸線１２の周りで単振動する。
【００６４】
すなわち、光走査装置３は、この水平走査周波数で走査光により走査する。この水平走査周波数は、極力大きい最大走査角が得られるように、振動系の共振周波数が選択される。水平駆動信号の強度は、第１検出位置Ｐ１及び第２検出位置Ｐ２を含む水平方向の走査範囲±Ａが得られるように設定される。
【００６５】
また、これと並行して、走査ミラー７は、駆動信号供給部２４から第２圧電アクチュエータ１４に印加される、例えば６０Ｈｚ程度の垂直走査周波数の垂直駆動信号に基づいて走査光の偏向角が信号強度に比例するように（リニアモード）駆動される。第２回転軸線１５の周りで単振動するように駆動してもよい。
【００６６】
この間、光源４から出力される走査光は、上記の水平周波数及び垂直周波数に同期したタイミングでオン・オフ（変調）される。これにより、スクリーン２には、この変調に応じた描画が行われる。
【００６７】
ただし、上述のように、走査ミラー７による走査光の最大走査角は、走査ミラー７の駆動時間の経過とともに減少する。このため、プロジェクタ１の動作開始時や、１フレームの描画毎などの各較正時に、スクリーン２上に正確な寸法のパターンが投影されるように、水平駆動信号の強度が較正される。
【００６８】
すなわち、各較正時に、較正部２１の最大走査角取得部２２は、走査光検出部１６が光センサ１７ａ及び１７ｂに走査光が入射したことを走査光検出部１６が検出した時点ｔ１〜ｔ６に基づき、上述のようにして、最大走査角２Ａを取得する。較正部２１の較正値取得部２３は、得られた最大走査角２Ａに基づいて、水平駆動信号の強度の較正値を取得する。
【００６９】
この較正値の取得は、例えば、次のようにして行うことができる。すなわち、水平駆動信号の強度及び最大走査角２Ａの種々の値に対応する水平駆動信号の強度の較正値を、予め、強度−最大走査角対応テーブルとして取得しておく。そして、較正時には、このテーブルを参照して、得られた最大走査角２Ａに対応する水平駆動信号の較正値を取得する。
【００７０】
較正部２１は、得られた較正値を駆動信号供給部２４に通知する。駆動信号供給部２４は、ミラー駆動部８に供給する水平駆動信号の強度の設定値を、通知された較正値に変更する。これにより、水平駆動信号の強度の較正が完了する。
【００７１】
垂直走査は共振周波数で行われず、上記のように、垂直駆動信号の強度に対し、走査光の偏向角が直線的に変化するようにして行われる。しかし、垂直駆動信号の強度についても、較正用の駆動信号として正弦波を用い、走査ミラー７を単振動させることにより、水平駆動信号の場合と同様にして較正を行うことができる。
【００７２】
以上のように、本実施形態によれば、第１、第２検出位置Ｐ１、Ｐ２に入射する走査光を検出する走査光検出部１６を設けるだけで駆動信号の強度を適切に較正することができる。したがって、主なハード構成として、従来のようにサーボ用光源や背面ミラーを要することは無いので、光走査装置の複雑化や性能の劣化、消費電力の増大を回避しつつ、簡便な構成で駆動信号の強度を適切に較正すことができる。
【００７３】
図７は、本発明の別の実施形態に係る光走査装置を備えるプロジェクタの要部を示す。このプロジェクタ１ｂの導光部１８ｂは、走査光反射ミラー６ｂ上に設定された第１検出位置Ｐ１及び第２検出位置Ｐ２にそれぞれ設けられたスリット２５と、各スリット２５に入射する走査ミラー７からの走査光を光センサ１７に導く光学素子とで構成される。光センサ１７は、走査光反射ミラー６からその裏側方向にある程度離れた位置に設けられる。
【００７４】
走査光を光センサ１７に導く光学素子としては、ここでは走査光反射ミラー６における各スリット２５の裏面側に設けられた拡散板２６が用いられる。なお、この光学素子としては、反射素子や透過素子を用いて構成してもよい。
【００７５】
各スリット２５及び拡散板２６を、垂直走査の範囲に対応させて縦長に設けることにより、１フレームの走査期間におけるいずれの時点においても、水平走査における最大走査角を求めることができる。他の構成及び作用については、図１〜図６の実施形態の場合と同様である。
【００７６】
本実施形態によれば、走査光反射ミラー６の後ろ側のスペースを活用して、第１検出位置Ｐ１及び第２検出位置Ｐ２に入射する走査光を検出することができる。
【００７７】
以上、本発明の実施形態について説明したが、本発明はこれに限定されない。例えば、本発明の光走査装置は、プロジェクタに限らず、ヘッドマウントディスプレイや、ヘッドランプ、スキャン型測距装置などにも適用することができる。
【００７８】
また、走査光反射ミラーは設けなくてもよく、あるいは走査光反射ミラーの代わりに補正レンズなどを用いてもよい。走査光反射ミラーを設けない場合には、走査ミラーとスクリーンとの間に設定される第１、第２検出位置において、走査ミラーからスクリーンに直接照射される走査光を妨げることなく反射面やスリットを保持する枠状の保持部材を採用することができる。
【００７９】
また、最大走査角は、算出によらずに、予め該算出などにより得られた走査光検出部による走査光の検出時点及び該検出時点での駆動信号の周波数と、最大走査角との対応テーブルに基づいて取得するようにしてもよい。
【符号の説明】
【００８０】
１、１ｂ…プロジェクタ、２…スクリーン、３、３ｂ…光走査装置、４…光源、５…偏向装置、６、６ｂ…走査光反射ミラー、７…走査ミラー、８…ミラー駆動部、９…搖動反射面、１０…第１支持部、１１ａ、１１ｂ…第１圧電アクチュエータ、１２…第１回転軸線、１３…第２支持部、１４…第２圧電アクチュエータ、１５…第２回転軸線、１６、１６ｂ…走査光検出部、１７、１７ａ、１７ｂ…光センサ、１８、１８ｂ…導光部、１９…ビームスプリッタ、２０…導光ミラー、２１…較正部、２２…最大走査角取得部、２３…較正値取得部、２４…駆動信号供給部、２５…スリット、２６…拡散板、Ｐ１…第１検出位置、Ｐ２…第２検出位置。
【図１】
2019109351.tif 000003
【図２】
2019109351.tif 000004
【図３】
2019109351.tif 000005
【図４】
2019109351.tif 000006
【図５】
2019109351.tif 000007
【図６】
2019109351.tif 000008
【図７】
2019109351.tif 000009